(57)【要約】      （修正有）【課題】紙材により形成された商品陳列棚であっても、耐荷重性に優れると共に、容易に組立形成することで、複数の店舗で兼用することができる商品陳列棚を提供する。【解決手段】紙材により形成された背面壁部１１と、背面壁部１１の巾方向両端部１２，１３において接合された一対の側面壁部１４，１５と、棚板１６とを備えた商品陳列棚１０である。背面壁部１１と側面壁部１４，１５とに取付固定されると共に、上方に棚板１６が載置されて、棚板１６を支持する棚板支持材部１７を有する。棚板支持材部１７は、紙材部と合成樹脂材部により構成されている。【選択図】図１
0003185716.tif 000002
【実用新案登録請求の範囲】
【請求項１】
紙材により形成された背面壁部と、上記背面壁部の巾方向両端部において接合された一対の側面壁部と、上記背面壁部及び上記一対の側面壁部に端部が当接して配置される棚板とを備えた商品陳列棚において、上記背面壁部と上記側面壁部とに取付固定されると共に、上方に上記棚板が載置されて、上記棚板を支持する棚板支持材部を有し、上記棚板支持材部は、紙材部と合成樹脂材部により構成されていることを特徴とする商品陳列棚。
【請求項２】
上記紙材部は、上記背面壁部に取付固定される背面部と、上記背面壁部と上記側面壁部との間に配置され、上記棚板を支持する棚板支持面部と、上記商品陳列棚の前面に上下方向に立設して配置される前面部と、上記一対の側面壁部に取付固定される一対の側面固定片部とを有し、一体に形成されると共に、上記前面部は、２枚の前面部形成片を折り返して形成され、上記合成樹脂材部は、上記２枚の前面部形成片の間に配置され、上記前面部形成片に当接する前面板部と、上記側面固定片部に固定される一対の側面固定片部とを有することを特徴とする請求項１記載の商品陳列棚。
【請求項３】
上記合成樹脂材部は、ポリプロピレン樹脂製であることを特徴とする請求項１記載の商品陳列棚。
【請求項４】
上記紙材部は、上記背面部と上記棚板支持面部との間に形成された接曲部と、上記棚板支持面部と上記前面部との間に形成された接曲部と、上記前面部と上記側面固定片部との間に形成された接曲部と、上記棚板支持面部内に形成された接曲部とを有すると共に、上記合成樹脂材部は、上記前面板部と上記側面固定片部との間に形成された接曲部とを有していることを特徴とする請求項２記載の商品陳列棚。
【請求項５】
上記紙材部の側面固定片部及び上記合成樹脂辺部の側面固定片部には、取り付け固定用の孔部が設けられていることを特徴とする請求項２記載の商品陳列棚。
【考案の詳細な説明】
【技術分野】
【０００１】
本考案は、紙材により組立形成される商品陳列棚であって、耐荷重性に優れると共に、組立が容易な商品陳列棚に関する。
【背景技術】
【０００２】
一般に、店舗等の売り場には、販売促進効果を高めるために、いわゆるＰＯＰとしての大型の商品陳列棚が設置される場合が多い。
商品陳列棚は段ボール紙製であって、金属材により構成された棚よりも装飾が施しやすいと共に、搬送性に富み、コストを低減することができる。
【０００３】
しかしながら、このようなＰＯＰとしての商品陳列棚は、多段に構成されたような場合には、載せられる多数の商品の荷重により大きな負荷が作用することになり、段ボール紙製であることから、対荷重性を確保する必要がある。
【０００４】
ところで、陳列した商品の落下を防止する落下防止部材の取付具として、例えば、特許文献１には、支持体に設けられた棚板装着用の穴を利用して背当て板等の落下防止部材を棚板後端側に位置するように取り付けることができるため、耐荷重性が低い位置に対応させて、商品の落下を防止することができる落下防止部材の取付具及び取付構造が開示されている。
【０００５】
しかしながら、特許文献１に開示された技術は、金属材により形成された商品陳列棚に適応させた落下防止部材の取付具であり、ダンボール紙製の商品陳列棚には適用できない。
【特許文献１】特許第３８９９８０５号公報
【考案の開示】
【考案が解決しようとする課題】
【０００６】
本考案は、このような従来からの不具合を解決するためのものであり、紙材により形成された商品陳列棚であっても、耐荷重性に優れると共に、容易に組立形成することができる商品陳列棚を提供することにある。
【課題を解決するための手段】
【０００７】
上記課題達成のため、請求項１記載の考案にあっては、紙材により形成された背面壁部と、上記背面壁部の巾方向両端部において接合された一対の側面壁部と、上記背面壁部及び上記一対の側面壁部に端部が当接して配置される棚板とを備えた商品陳列棚において、上記背面壁部と上記側面壁部とに取付固定されると共に、上方に上記棚板が載置されて、上記棚板を支持する棚板支持材部を有し、上記棚板支持材部は、紙材部と合成樹脂材部により構成されていることを特徴とする。
【０００８】
したがって、請求項１記載の考案にあっては、上記棚板支持材部は、上記紙材部と上記合成樹脂材部により構成されていることから、上記棚板は上記紙材部と上記合成樹脂材部とにより支持される。
【０００９】
請求項２記載の考案にあっては、上記紙材部は、上記背面壁部に取付固定される背面部と、上記背面壁部と上記側面壁部との間に配置され、上記棚板を支持する棚板支持面部と、上記商品陳列棚の前面に上下方向に立設して配置される前面部と、上記一対の側面壁部に取付固定される一対の側面固定片部とを有し、一体に形成されると共に、上記前面部は、２枚の前面部形成片を折り返して形成され、上記合成樹脂材部は、上記２枚の前面部形成片の間に配置され、上記前面部形成片に当接する前面板部と、上記側面固定片部に固定される一対の側面固定片部とを有することを特徴とする。
【００１０】
請求項３記載の考案にあっては、上記合成樹脂材部は、ポリプロピレン樹脂製であることを特徴とする。
【００１１】
したがって、請求項３記載の考案にあっては、上記ポリプロピレン樹脂は、五大汎用樹脂として、価格が安く工業的に大量生産することが可能であり、また、プロピレンモノマーが規則正しく配列するように重合した結晶性の高分子化合物であり、結晶性を維持するため融点及び強度が高く、かつ吸湿性がないと共に、耐薬品性に優れている。その結果、上記合成樹脂材部は、生産性に優れると共に、高強度及び低吸湿性を有している。
【００１２】
請求項４記載の考案にあっては、上記紙材部は、上記背面部と上記棚板支持面部との間に形成された接曲部と、上記棚板支持面部と上記前面部との間に形成された接曲部と、上記前面部と上記側面固定片部との間に形成された接曲部と、上記棚板支持面部内に形成された接曲部とを有すると共に、上記合成樹脂材部は、上記前面板部と上記側面固定片部との間に形成された接曲部とを有していることを特徴とする。
【００１３】
したがって、請求項４記載の考案にあっては、上記紙材部は、各面部との間に形成された接曲部を有すると共に、上記合成樹脂材部は、上記前面板部と上記側面固定片部との間に形成された接曲部を有することから、上記紙材部及び上記合成樹脂材部を上記商品陳列棚に取付固定した場合であっても、容易に折り畳むことができる。
【００１４】
請求項５記載の考案にあっては、上記紙材部の側面固定片部及び上記合成樹脂辺部の側面固定片部には、取り付け固定用の孔部が設けられていることを特徴とする。
【００１５】
したがって、請求項５記載の考案にあっては、上記紙材部及び上記合成樹脂材部共に着脱が容易であると共に、商品を陳列した際に、上記一対の側面固定片部の中においても、荷重が集中する孔部の耐荷重性を向上させることができる。
【考案の効果】
【００１６】
請求項１記載の考案にあっては、上記棚板支持材部は紙部材と、紙部材よりも剛性が高い合成樹脂部材とにより構成されていることから、載置される棚板に所定の重量を有する商品が載置された場合であっても、荷重に耐え、より確実に支持することができる。
【００１７】
請求項２記載の考案にあっては、高耐荷重性を有する上記合成樹脂材部は、上記２枚の前面部形成片の間に配置されると共に、上記前面部と、上記一対の側面固定片部とに配置されることから、商品を陳列した際に、比較的荷重が加わりやすい上記一対の側面固定片部の耐荷重性を向上させることができる。その結果、上記一対の側面固定片部に捩れや歪み等の発生を抑制することができ、延いては商品陳列棚の外観を良好に維持することができる。
【００１８】
請求項３記載の考案にあっては、上記ポリプロピレン樹脂は、工業的に大量生産することが可能であり、また、プロピレンモノマーが規則正しく配列するように重合した結晶性の高分子化合物であり、結晶性を維持するため融点及び強度が高く、かつ吸湿性がないと共に、耐薬品性に優れていると共に製造コストを低減することができる。
【００１９】
したがって、請求項３記載の考案にあっては、生産性に優れると共に、高強度及び低吸湿性の合成樹脂材部を有する商品陳列棚を提供することができる。
【００２０】
請求項４記載の考案にあっては、上記商品陳列棚は、上記紙材部及び上記合成樹脂材部を取付固定した場合であっても、上記折曲部を介して、容易に折り畳むことができることから、搬送が容易である。
さらに、他の店舗等で使用する際には、折り畳んだ状態から容易に組立形成することができるため、例えば、女性営業員であっても、商品陳列棚を迅速かつ容易に設置することができる。
【００２１】
さらに、商品を陳列した際に、上記一対の側面固定片部の中においても、上記前面板部と上記側面固定片部との間に形成された接曲部の耐荷重性を向上させることができる。その結果、上記接曲部が破断する事態を防止でき、商品陳列棚の外観を良好に維持することができる。
【００２２】
請求項５記載の考案にあっては、上記紙材部及び上記合成樹脂材部共に着脱が容易であると共に、商品を陳列した際に、上記一対の側面固定片部の中においても、荷重による負荷が集中する孔部の耐荷重性を向上させることができる。その結果、上記孔部の破断を防止することができる。
【図面の簡単な説明】
【００２３】
【図１】本考案に係る商品陳列棚の一実施の形態を示す斜視図である。
【図２】本考案に係る商品陳列棚を構成する棚板支持材部の一実施の形態を示す平面図である。
【図３】本考案に係る棚板支持材部を構成する合成樹脂材部の一実施の形態を示す平面図である。
【図４】本考案に係る棚板支持材部を商品陳列棚に取付固定した状態における一実施の形態を示す斜視図である。
【図５】本考案に係る商品陳列棚を折り畳んだ状態における一実施の形態を示す斜視図である。
【考案を実施するための最良の形態】
【００２４】
以下、添付図面に示す実施の形態に基づき、本考案を詳細に説明する。
図１に示すように、本実施の形態に係る商品陳列棚１０は、紙材により形成され、背面壁部１１と、背面壁部１１の巾方向両端部１２、１３において接合された一対の側面壁部１４、１５と、記背面壁部１１及び上記一対の側面壁部１４、１５に端部が当接して配置される上下２枚の棚板１６、１６とを備え、棚板１６、１６は、夫々、棚板支持材部１７、１７の上方に載置されて支持されている。
【００２５】
棚板支持材部１７は、背面壁部１１と一対の側面壁部１４、１５とに取付固定されている。
【００２６】
図２及び図３は、本考案の商品陳列棚（図示せず）を構成する棚板支持材部１７及び棚板支持材部１７を構成する合成樹脂材片部１９の一実施の形態を示す平面図である。
図２及び図３に示すように、棚板支持材部１７は、紙材部１８と合成樹脂材片部１９とにより構成されている。
紙材部１８は、全体略台形状の棚板支持面部２１、２１が先端部において細長長方形状の折曲片部３１を介して折曲可能に接合されている。
紙材部１８は、背面壁部（図示せず）に取付固定される背面部２０と、背面壁部と側面壁部（図示せず）との間に配置され、棚板（図示せず）を支持する、略台形状に形成された一対の棚板支持面部２１、２１と、商品陳列棚の前面に上下方向に立設して配置される前面部２２と、一対の側面壁部１４、１５に取付固定される一対の側面固定片部２３、２４とを有し、全体として一体に形成されている。
前面部２２は、一枚の長方形状の前面部形成予定片６４を幅方向に同一幅寸法に折曲して形成された２枚の前面部形成片２５、２６と、前面部形成片２５、２６の間に折込まれて配設された合成樹脂材片部１９とにより構成されている。
【００２７】
また、紙材部１８は、背面部２０と棚板支持面部２１との間に形成された接曲部２７と、棚板支持面部２１と前面部２２との間に形成された接曲部２８と、前面部２２と一対の側面固定片部２３、２４との間に形成された接曲部２９、３０とを有し、さらに、棚板支持面部２１、２１の間に形成された接曲部片３１とを有する。
【００２８】
一対の側面固定片部２３、２４は細長長方形状に形成され、長さ方向に沿って、側面壁部に取付固定されるための３個の孔部３２、３２、３２が設けられている。
【００２９】
背面部２０の表面部３３には、背面壁部に貼付されるための両面テープ材部３４が設けられていると共に、両面テープ材部３４の裏面側には、背面壁部に取付固定されるための３つの孔部３５、３５、３５が長さ方向に沿って設けられている。
【００３０】
図３に示すように、合成樹脂材片部１９は、ポリプロピレン樹脂により形成され、前面部形成片２５、２６と同一の形状、大きさに形成され、前面部形成片２５、２６の間に折り込まれて配置されると共に、前面部形成片２５、２６に当接する前面板部３６と、前面板部３６の長さ方向両端部に配設され、紙材部１８の側面固定辺部２３、２４と共に、側面壁部１４、１５に固定される一対の側面固定片部３７、３８とを有している。
【００３１】
また、合成樹脂材片部１９には、前面板部３６と一対の側面固定片部３７、３８との間に形成された接曲部３９、４０が形成されている。
【００３２】
一対の側面固定片部３７、３８には、側面壁部１４、１５に取付固定されるための３つの孔部４１、４１、４１が、長さ方向に沿って等間隔に、上記紙材部１８の側面固定片部２３、２４の孔部３２，３２、３２と重なる位置に開設されている。
【００３３】
本実施の形態にあっては、合成樹脂材片部１９は、ポリプロピレン樹脂製である場合を例に説明したが、商品陳列棚の設置場所の環境や商品の種類や重量を考慮した合成樹脂材片部１９を使用することができる。
【００３４】
図４は、本実施の形態に係る棚板支持材部１０を商品陳列棚本体５０に取付固定した状態における一実施の形態を示す斜視図である。
図４に示すように、本実施の形態に係る棚板支持材部１７は、前面部２２及び前面板部３６が側面壁部１４、１５の前端部の間において、夫々、側面壁部１４、１５に対して側面固定片部２３、２４、３７、３８により固定されることにより取り付けられている。
【００３５】
取付固定する場合には、側面壁部１４、１５に設けられた孔部（図示せず）と、側面固定片部２３、２４、３７、３８の孔部（図示せず）とが互いに重なる状態でファスナ６０を各孔部に貫通させて固定する。
【００３６】
本実施の形態にあっては、ファスナ６０は、合成樹脂材部１９と同様に、高強度に優れたポリプロピレン樹脂により形成されていることから、商品陳列棚全体の剛性を向上させることができる。
【００３７】
また、棚板支持材部１７は、背面部２０が背面壁部１１に、両面テープ材部３４を利用して貼付固定する共に、背面部２０の３つの孔部３５と、背面壁部１１の対応する孔部６５とが互いに重なるようにして、ファスナ６０を貫通させ固定する。
【００３８】
さらに、棚板支持材部１７を取付固定した後、棚板支持材部１７に棚板１６を載置することにより商品陳列棚１０が完成する。
【００３９】
図５は、本考案に係る商品陳列棚１０を折り畳んだ状態における一実施の形態を示す斜視図である
図５に示すように、本実施の形態に係る商品陳列棚１０は、二段の棚板支持材部１７、１７により形成されている。
折りたたむ場合には、例えば、上方の棚板支持材部１７に関しては、棚板支持面部２１内に形成された接曲部２０を商品陳列棚本体５０下方に折曲すると共に、下方の棚板支持材部１７の棚板支持面部２１内に形成された接曲部２０を商品陳列棚本体５０上方に折曲する。
【００４０】
さらに、一対の側壁面部１４、１５内に長さ方向に沿って形成された接曲部６２、６３を、商品陳列棚本体５０の内方に折曲する。
これにより、商品陳列棚本体５０は、棚板支持材部１７、１７を取付固定した場合であっても、容易に折り畳むことができることから、搬送が容易であり、複数の店舗等で兼用することができる。
また、他の店舗等で使用する際には、折り畳んだ状態から容易に組立形成することができるため、商品陳列棚１０を迅速かつ容易に設置することができる。
【産業上の利用可能性】
【００４１】
従って、本考案に係る商品陳列棚は、紙材により形成された商品陳列棚であっても、耐荷重性に優れると共に、容易に組立形成することで、複数の店舗で兼用することができるため産業上の利用可能性を有している。
【符号の説明】
【００４２】
１０  商品陳列棚
１１  背面壁部
１２  巾方向両端部
１３  巾方向両端部
１４  側面壁部
１５  側面壁部
１６  棚板
１７  棚板支持材部
１８  紙材部
１９  合成樹脂材部（合成樹脂材片部）
２０  背面部
２１  棚板支持面部
２２  前面部
２３  側面固定片部
２４  側面固定片部
２５  前面部形成片
２６  前面部形成片
２７  接曲部
２８  接曲部
２９  接曲部
３０  接曲部
３１  接曲片部
３２  孔部
３３  表面部
３４  両面テープ材部
３５  孔部
３６  前面板部
３７  側面固定片部
３８  側面固定片部
３９  接曲部
４０  接曲部
４１  孔部
５０  商品陳列棚本体
６０  ファスナ
６２  折曲部
６３  折曲部
６４  前面部形成予定片
【図１】
0003185716.tif 000003
【図２】
0003185716.tif 000004
【図３】
0003185716.tif 000005
【図４】
0003185716.tif 000006
【図５】
0003185716.tif 000007